(57)【特許請求の範囲】
【請求項１】
王冠を取外すための真珠貝形状の栓抜き具と、この栓抜き具内に収納されてネジ蓋の外周を挟持して回動するためのネジ蓋回動具と、このネジ蓋回動具内に収納されてプルトップを引き起すためのプルトップ引起具とを、一本の枢軸によって互いに回動可能に連結して、不使用時の前記ネジ蓋回動具とプルトップ引起具とを前記栓抜き具内に収納するようにするとともに、
前記ネジ蓋回動具を、前記枢軸にそれぞれ枢支される左右一対の枢支基部と、これらの枢支基部に連続して可撓性を有する略円環状の挟持部とにより構成するとともに、当該ネジ蓋回動具の枢支基部と前記栓抜き具の基部との各対向面に、当該ネジ蓋回動具を前記栓抜き具内から引きおこしたとき、前記各枢支基部を互いに近接させる突起またはその案内面を形成したことを特徴とする組合せ開口具。
【発明の詳細な説明】
【０００１】
【発明の属する技術分野】
本発明は、ビールの王冠や所謂ペットボトルのネジ蓋等を開けるための組合せ開口具に関するものである。
【０００２】
【従来の技術】
容器の閉蓋としては種々なタイプのものがあり、この閉蓋を開放するものとして最も一般的なものは、ビールビンを密閉している王冠をテコの原理を利用して開放する所謂栓抜き器がある。また、ペットボトル等の容器の閉蓋としては、種々な材料からなるネジ蓋があるが、このネジ蓋は手で挟持して回動することにより、容器の口の開閉を行うようにしている。さらに、例えばカンジュース等のように、閉蓋となる部分をカンと一体的に形成しておいて、この閉蓋と一体的なプルトップを引き起こして、閉蓋のカンからの引き離しあるいは開口を行うようにした容器も採用されている。
【０００３】
以上のような種々な閉蓋の開放作業においては、王冠の場合は別にしても、ネジ蓋では大きな挟持力が必要であるし、プルトップでは、通常これがカン蓋上面に略密着したような状態にしてあるため、指で引き起すのに多少の要領と力が入るものである。そして、以上のような王冠、ネジ蓋あるいはプルトップを使用した商品は、身の回りに多岐にわたって存在しているものであり、消費者は使用されている閉蓋のタイプに応じた操作をし、あるいは道具を使用しているものである。
【０００４】
ネジ蓋を開放する道具としては、出願人も種々なものを既に提案してきているのであり、またプルトップを引き起すための道具も種々提案されてきているが、これらはそれぞれ独立したものとして提案されているものである。このため、例えばアウトドアレジャーを楽しむ場合には、それぞれの道具を個別に持参しなければならず非常に不便であった。それなら、「万能ナイフ」のように、それぞれの道具を一つにまとめてしまえば、個別の持参による不便を簡単に解消できそうであるが、一つにまとめるといっても、各道具の機能を損なわないようにしながら、かつコンパクトにするにはある程度の工夫が必要であることは当然である。
【０００５】
特に、老人や子供のように、手の力が弱い人にとってみれば、例えばネジ蓋回動具ではその使用時にネジ蓋に対する挟持をしっかりと行わないとその回動ができなくなるため、ネジ蓋に対する挟持を簡単に行えるようにしておけば、この種の手動利器は十分なものとなるのである。また、プルトップにしてみれば、これがカン等の表面に密着した状態となっていることが多いものであるため、その引き越しのための「とっかかり」が指の力が弱い人ではなかなかつかめないのであるが、ほんの少しだけ持ち上げられれば、このプルトップの引き起こしは力の弱い人でもできることになる。
【０００６】
そこで、本発明者等は、閉蓋としては、王冠、ネジ蓋及びプルトップと一体的なものの三種類がほぼ主流を占めていることに着目して、これらの閉蓋を開ける各道具を如何にコンパクトにまとめるかについて種々検討を重ねてきた結果、本発明を完成したのである。
【０００７】
【発明が解決しようとする課題】
本発明は、閉蓋を開けるための道具について上記実状に鑑みてなされたもので、その解決しようとする課題は、機能の異なる複数の道具をコンパクトにまとめることである。
【０００８】
すなわち、本発明の目的とするところは、王冠を外すものと、ネジ蓋の開閉を行う道具と、プルトップを引き起すための道具をコンパクトにまとめることができて、持ち運び及び使用に便利なものとするとともに、それぞれの道具の機能を十分に発揮することができるようにするとともに、ネジ蓋回動具によるネジ蓋の締め付けを自動的に行うことができて、力の弱い人でも十分使いこなすことのできる組合せ開口具を提供することにある。
【０００９】
（削除）
【００１０】
【課題を解決するための手段】
以上の課題を解決するために、本発明の採った手段は、以下の実施形態の説明中において使用する符号を付して説明すると、
「王冠６１を取外すための真珠貝形状の栓抜き具１０と、この栓抜き具１０内に収納されてネジ蓋６２の外周を挟持して回動するためのネジ蓋回動具２０と、このネジ蓋回動具２０内に収納されてプルトップ６３を引き起すためのプルトップ引起具３０とを、一本の枢軸５０によって互いに回動可能に連結して、不使用時のネジ蓋回動具２０とプルトップ引起具３０とを栓抜き具１０内に収納するようにするとともに、
ネジ蓋回動具２０を、枢軸５０にそれぞれ枢支される左右一対の枢支基部２１と、これらの枢支基部２１に連続して可撓性を有する略円環状の挟持部２２とにより構成するとともに、当該ネジ蓋回動具２０の枢支基部２１と栓抜き具１０の基部１２ａとの各対向面に、当該ネジ蓋回動具２０を栓抜き具１０内から引き起したとき、各枢支基部２１を互いに近接させる突起２４またはその案内面１７を形成したことしたことを特徴とする組合せ開口具１００」
である。
【００１１】
すなわち、この組合せ開口具１００は、まず、図２の（イ）に示すように、一番外側を王冠６１を取外すための栓抜き具１０とし、この栓抜き具１０の中に、ネジ蓋６２を回動するためのネジ蓋回動具２０を収納するとともに、このネジ蓋回動具２０の中に、プルトップ６３を引き起こすためのプルトップ引起具３０を収納するようにして、これらのプルトップ引起具３０及びネジ蓋回動具２０を、１本の枢軸５０によって栓抜き具１０に枢支して構成したものである。そして、組合せ開口具１００の外形を形成することになる栓抜き具１０を、略真珠貝形状のものにすることによって、当該組合せ開口具１００を手で持ち易い形状のものとしたのである。
【００１２】
これにより、この組合せ開口具１００は、栓抜き具１０による王冠６１の開放は勿論、図９及び図１０に示すように、ネジ蓋６２の開閉及びプルトップ６３の引き起こしをそれぞれ独立的に行える便利なものとなっているだけでなく、図２の（イ）に示すように、手で握れる程度の大きさの栓抜き具１０内に、ネジ蓋回動具２０及びプルトップ引起具３０を収納したことによって、全体が非常にコンパクトなものとなっていて、収納や持ち運びにも非常に便利なものとなっているのである。
【００１３】
特に、栓抜き具１０においては、その基板１１に栓抜き金具１４を形成したから、ネジ蓋回動具２０やプルトップ引起具３０の状態とは無関係に栓抜き金具１４による王冠６１の開放が行えるのであり、また、１本の枢軸５０によってネジ蓋回動具２０及びプルトップ引起具３０を栓抜き具１０に枢支したから、これらネジ蓋回動具２０及びプルトップ引起具３０をそれぞれ独立的に使用することができるのである。つまり、当該組合せ開口具１００は、それぞれ機能の異なる栓抜き具１０、ネジ蓋回動具２０及びプルトップ引起具３０を、図９及び図１０に示すように、他から影響を受けないで使用することができるのであり、使用に便利なものとなっているのである。
【００１４】
また、この組合せ開口具１００は、真珠貝状の栓抜き具１０の内側にネジ蓋回動具２０を収納し、このネジ蓋回動具２０の中にさらにプルトップ引起具３０を収納するようにして、これら栓抜き具１０、ネジ蓋回動具２０及びプルトップ引起具３０を１本の枢軸５０によって互いに枢着するように構成したものであるから、その製造が簡単に行えるのであり、安価に提供することができるのである。何故なら、各栓抜き具１０、ネジ蓋回動具２０及びプルトップ引起具３０は、例えば合成樹脂材料による一体成形が簡単に行えるからであり、その各端部に枢軸５０のための枢支部を形成しておいてこの枢支部に枢軸５０を単に挿通して抜け止めを施せばよいからである。
【００１５】
そして、本発明は、この組合せ開口具１００について、そのネジ蓋回動具２０を、枢軸５０にそれぞれ枢支される左右一対の枢支基部２１と、これらの枢支基部２１に連続して可撓性を有する略円環状の挟持部２２とにより構成するとともに、当該ネジ蓋回動具２０の枢支基部２１と栓抜き具１０の基部１２ａとの各対向面に、当該ネジ蓋回動具２０を栓抜き具１０内から引き起したとき、各枢支基部２１を互いに近接させる突起２４またはその案内面１７を形成してあった。
【００１６】
すなわち、この組合せ開口具１００では、ネジ蓋６２を挟持するためのネジ蓋回動具２０を栓抜き具１０から引き起したとき、この引き起し操作に伴ってネジ蓋回動具２０の両枢支基部２１が枢軸５０上を互いに自然に近接するようにしてあるのであり、これにより、ネジ蓋回動具２０によるネジ蓋６２の挟持を自動的にしっかりと行えるようにしてあるのである。そのために、この組合せ開口具１００では、例えば実施形態で示すように、栓抜き具１０を構成している周壁１２の基部１２ａの内側に案内面１７を形成しておき、この案内面１７によって押動されることになる突起２４を、ネジ蓋回動具２０側の枢支基部２１の外面に形成してあるのである。
【００１７】
このネジ蓋回動具２０の枢支基部２１によって、ネジ蓋６２の外周を挟持するのは、このネジ蓋６２を当該組合せ開口具１００にしっかりと一体化させ、この組合せ開口具１００をネジ蓋６２とともに回動させたいからであるが、その回動操作が確実に行えるためには、枢支基部２１の内面がネジ蓋６２の外面にしっかりと密着して、一体回動に必要な十分な摩擦力が生じなければならない。換言すれば、ネジ蓋６２を挟持したネジ蓋回動具２０は、その枢支基部２１がネジ蓋６２の外周面に確実に密着した状態となっていなければならないのであるが、この組合せ開口具１００では、両枢支基部２１間の距離を自動的に縮められるようにしてあるから、例えば老人や子供のような力の弱い人であっても、当該組合せ開口具１００によるネジ蓋６２の回動を簡単に行えるのである。
【００１８】
【発明の実施の形態】
次に、以上のように構成した各発明を、図面に示した実施の形態に係る組合せ開口具１００について説明するが、この組合せ開口具１００は、両請求項に係る発明を実質的に含むものであるから、本発明の説明は、この実施形態に係る組合せ開口具１００を説明することにより、同時的に行うこととする。
【００１９】
さて、図１には、本発明に係る組合せ開口具１００の各構成部材を分解して示した斜視図が示してあるが、これら各構成部材を組立てることにより、図２に示すような、手のひらで包み込むことのできる組合せ開口具１００とされるものである。すなわち、この組合せ開口具１００は、主として王冠６１を取外すための真珠貝形状の栓抜き具１０と、この栓抜き具１０内に収納されてネジ蓋６２の外周を挟持して回動するためのネジ蓋回動具２０と、このネジ蓋回動具２０内に収納されてプルトップ６３を引き起すためのプルトップ引起具３０とを、一本の枢軸５０によって互いに回動可能に連結して、不使用時のネジ蓋回動具２０とプルトップ引起具３０とを栓抜き具１０内に収納するようにしたものである。
【００２０】
栓抜き具１０は、図３及び図４に示すように、平面形状が略真珠貝状となる基板１１の周縁に、図４の（イ）及び（ロ）に示したような回動開口１５を残した状態で周壁１２を一体的に形成したものである。すなわち、この栓抜き具１０は、その基板１１及び周壁１２によって、当該組合せ開口具１００の外形を形成することになるものであり、図４に示したような回動開口１５において、後述するネジ蓋回動具２０またはプルトップ引起具３０を、図９または図１０に示すように、突出可能にするようにしたものである。
【００２１】
この栓抜き具１０は、王冠６１を取外すためのものであるから、その基板１１の略中央に栓抜き金具１４が設けてある。本実施形態の栓抜き金具１４は、図３及び図４の各（イ）に示すように、基板１１の略中央に王冠挿入口１３を形成しておいて、この王冠挿入口１３内にて互いに対向するように、図３の（ロ）に示すように、基板１１内に一体的にモールドしたものである。従って、各栓抜き金具１４は、栓抜き具１０の外側に対して直接突出するものではないから、当該組合せ開口具１００を手で包み込んだときにも手指等に直接触れることはなく、使用に安全なものとなっている。
【００２２】
また、この栓抜き具１０は、これに後述するネジ蓋回動具２０及びプルトップ引起具３０を枢着するものであるから、その周壁１２の回動開口１５側両端部をそれぞれ基部１２ａとし、これらの基部１２ａにネジ蓋回動具２０及びプルトップ引起具３０のための枢軸５０を挿通する枢支穴１６が形成してある。各枢支穴１６は、例えば図３の（ロ）及び図４の（イ）に示したように形成したものであり、これら各枢支穴１６の周辺となる基部１２ａの内側には、特に図３の（ロ）に示したように、案内面１７が形成してある。
【００２３】
各案内面１７は、ネジ蓋回動具２０側の突起２４が当接することにより、この突起２４と一体的な枢支基部２１を枢軸５０上の中程に移動させるように案内するものであり、本実施形態では、図４の（イ）に示しように、ネジ蓋回動具２０側の突起２４を収納して枢支基部２１に力を与えない凹所１７ａと、この凹所１７ａに隣接してネジ蓋回動具２０側の突起２４を枢軸５０の中央部側に押圧することになる突部１７ｂとにより構成してある。すなわち、この案内面１７は、ネジ蓋回動具２０を栓抜き具１０から引き出したときに、その各枢支基部２１が互いに近接するように、ネジ蓋回動具２０側の突起２４を枢軸５０上にて押動することになるものであり、基部１２ａの枢支穴１６の近傍にて凹所１７ａ及び突部１７ｂを配置することにより構成したものである。なお、この案内面１７を栓抜き具１０の基部１２ａに形成する実施形態の他、この案内面１７に代えてネジ蓋回動具２０側の突起２４を形成して実施してもよいことは言うまでもない。
【００２４】
本実施形態の組合せ開口具１００では、その栓抜き具１０に対するプルトップ引起具３０の連結を、後述する連結部材４０によって行うようにしている。従って、この栓抜き具１０の内面であって回動開口１５を構成する部分には、図３の（ロ）及び図４の（イ）に示したように、連結部材４０側の嵌合突起４１を嵌合して固定するための取付溝１８が形成してあるものである。
【００２５】
次に、ネジ蓋回動具２０であるが、このネジ蓋回動具２０は、図２の（イ）にも示したように、栓抜き具１０の周壁１２内に収納できる大きさに例えば合成樹脂を材料として形成したものであり、図５の（ロ）及び（ハ）に示すように、ペットボトル等のネジ蓋６２の外周を包み込むことのできる略円環状の挟持部２２の両端に、枢軸５０上に支持されることになる枢支基部２１を一体的に形成したものである。すなわち、このネジ蓋回動具２０は、ネジ蓋６２の外周面に挟持部２２の内周面を当接するようにして各枢支基部２１を互いに近接させることにより、ネジ蓋６２の締め付け、つまり挟持を行うものである。勿論、各枢支基部２１には、図５の（ハ）に示したように、枢軸５０を挿通するための枢支穴２５がそれぞれ形成してある。
【００２６】
この場合、ある程度の力がある人がこのネジ蓋回動具２０を使用するのであれば、図９に示したように、各枢支基部２１またはこれに連続する挟持部２２の外面を指で押圧することにより、挟持部２２のネジ蓋６２に対する挟持をしっかりと行うことができる。
【００２７】
本実施形態の挟持部２２は、径の異なるネジ蓋６２の挟持が行えるようにしたものであり、この挟持部２２は、図５の（ロ）及び（ニ）に示したように、第１挟持部２２ａと第２挟持部２２ｂとの２段構成のものとしてある。すなわち、この挟持部２２は、その両端の枢支基部２１を互いに近接させることにより縮径されるものではあるが、その縮径によって対応し切れないネジ蓋６２の外径の違いに対応すべく、小径のネジ蓋６２を挟持するための第１挟持部２２ａと、大径のネジ蓋６２のための第２挟持部２２ｂとを有したものとしてあるのである。
【００２８】
なお、この挟持部２２は、図９に示したように、ネジ蓋６２の上方から被せてその挟持操作を行うものであるから、ネジ蓋６２に対する位置決めを行い易く特に図５の（ニ）に示したように、第１挟持部２２ａの図示上方側にネジ蓋６２上に係止されるべき位置決めフランジ２７が一体的に形成してある。勿論、各第１挟持部２２ａ及び第２挟持部２２ｂの内面には、ネジ蓋６２に対する挟持をしっかりと行えるようにするための滑り止め２３が形成してある。この滑り止め２３としては、図示したような凹凸であってもよいし、例えばゴム等の材料を使用して挟持部２２を形成することにより、ネジ蓋６２に対する大きな摩擦力を生じさせるものであってもよい。
【００２９】
このネジ蓋回動具２０は、その各枢支基部２１を枢軸５０上にて互いに近接させることにより、挟持部２２の縮径を行うものであるから、前述したようにその全体を合成樹脂材料により形成することより、可撓性を有したものとしてある。なお、本実施形態のネジ蓋回動具２０では、その可撓性をより十分なものとするために、図５の（ロ）及び（ハ）に示したように、第１挟持部２２ａ及び第２挟持部２２ｂの一部に切除部２２ｃが形成してある。
【００３０】
そして、このネジ蓋回動具２０の各枢支基部２１の外側には、図５の（イ）〜（ロ）に示したように、前述した栓抜き具１０側の各案内面１７に対向することになる突起２４が一体的に形成してある。各突起２４は、当該ネジ蓋回動具２０を栓抜き具１０から引き起すときに、栓抜き具１０側の案内面１７を構成している凹所１７ａから突部１７ｂに当接していくことにより、栓抜き具１０側の基部１２ａによって内方に押圧されることになるものであり、これにより、各枢支基部２１の枢軸５０上での近接を行うものである。この突起２４と栓抜き具１０側の案内面１７とは、これを入れ換えて実施してもよいことは前述した通りである。なお、本実施形態のネジ蓋回動具２０では、図５の（ハ）に示したように、突起２４の枢支穴２５とは反対側に位置する枢支基部２１の外面に凹所２６が形成してあり、この凹所２６内に栓抜き具１０側の突部１７ｂが位置したとき、すなわち、当該ネジ蓋回動具２０が栓抜き具１０内に完全に納められたときの状態が維持されるようにしてある。
【００３１】
プルトップ引起具３０は、図１０に示したように使用することにより、ジュースカン等のプルトップ６３を引き越すものであるが、図６に示すように、図示左側に枢支穴３２を有するアーム部３１の先端に、プルトップ６３を係止させる引起爪３３を一体的に形成したものである。この引起爪３３は、アーム部３１と同じ硬質の合成樹脂材料により、アーム部３１と一体的に形成したものであるが、例えば金属材料によって別個のものに形成しておいて、これをアーム部３１内にインサートすることにより一体化してもよいものである。
【００３２】
このプルトップ引起具３０は、前述したネジ蓋回動具２０内に納められるものであるから、図６の（イ）及び図７に示したように、略角棒状のものとしたものである。ネジ蓋回動具２０内に納められたプルトップ引起具３０は、これを使用する際にネジ蓋回動具２０内から引き起さなければならないが、その引き起しのキッカケを作るために、そのアーム部３１から突出する押出突起３４が、図６の（イ）及び図７に示したように、一体的に形成してある。そして、この押出突起３４は、図２の（ロ）に示したように、当該プルトップ引起具３０を栓抜き具１０内に納めたとき、栓抜き具１０に形成してある王冠挿入口１３内に位置することになるものであり、この押出突起３４を王冠挿入口１３内に指等を入れて押動すれば、プルトップ引起具３０の栓抜き具１０内からの立ち上げを容易に行えるようにするものである。
【００３３】
以上のような構成を有することで、このプルトップ引起具３０はその本来の機能を十分発揮することができるものであるが、本実施形態のプルトップ引起具３０は、枢支穴３２による枢軸５０での保持が所謂「ガタ」がない状態で行えるようにするとともに、ネジ蓋回動具２０内に収納したときの納まり、及び引き起したときの状態を安定化させるために、次に説明する連結部材４０を介して栓抜き具１０に連結するようにしている。
【００３４】
すなわち、このプルトップ引起具３０は、図６及び図７の各（ロ）に示したように、連結部材４０に挟着するための一対の枢支部３５を有していて、これら両枢支部３５間には連結部材４０を収納するための嵌合溝３７が形成してある。また、各枢支部３５の枢支穴３２近傍には、図６の（イ）及び図７の（ハ）に示したように、連結部材４０側のフリクション突起４３が係合することになる係合穴３６が形成してあり、この係合穴３６に近接するアーム部３１の部分には、図６の（ハ）に示したように、連結部材４０側のスプリング部４４が係合することになる係止部３８が形成してある。
【００３５】
連結部材４０は、図８の（イ）に示すように、略カタツムリ形状に形成したものであり、図示下側には、栓抜き具１０側の取付溝１８に嵌合固定される嵌合突起４１が形成してある。この嵌合突起４１は、当該連結部材４０を栓抜き具１０側に一体化するためのものであるから、実施形態のようなものに限らず、例えばアリ溝結合できるようなものにしたり、差し込みできるようにしたりして実施することができる。
【００３６】
勿論、この連結部材４０には枢軸５０を挿通しなければならないから、その略中央部には枢支穴４２が形成してある。なお、栓抜き具１０側に固定された当該連結部材４０に対しては、上述したプルトップ引起具３０が組付けられるものであるから、その平面形状は、図８の（ロ）及び（ハ）に示すように、略板状のものとしてある。すなわち、この連結部材４０は、ネジ蓋回動具２０側の両アーム部３１によって形成した嵌合溝３７内に挿通されるものであり、これにより、プルトップ引起具３０の引き起し方向の回動をガタなく行えるようにしているものである。
【００３７】
また、この連結部材４０は、図８の（イ）及び（ロ）に示したように、栓抜き具１０内への収納時におけるプルトップ引起具３０の係合穴３６に弾発的に係合することになるフリクション突起４３が形成してあり、このフリクション突起４３の枢支穴４２とは反対側には、図８の（イ）及び（ロ）に示したように、収納時のプルトップ引起具３０の係止部３８に先端が弾発的に係合するスプリング部４４が一体的に形成してある。
【００３８】
以上のように構成した連結部材４０、プルトップ引起具３０及びネジ蓋回動具２０は、図２に示すような状態で栓抜き具１０内に収納して、各枢支穴４２、枢支穴３２、突起２４及び枢支穴１６に１本の枢軸５０を挿通してその栓抜き具１０からの抜け止めを施すことにより、各ネジ蓋回動具２０及びプルトップ引起具３０は栓抜き具１０に対して個別に引き起し可能となるのであり、組合せ開口具１００として完成されるのである。
【００３９】
【発明の効果】
以上、詳述した通り、本発明においては、上記実施形態において例示した如く、
「王冠６１を取外すための真珠貝形状の栓抜き具１０と、この栓抜き具１０内に収納されてネジ蓋６２の外周を挟持して回動するためのネジ蓋回動具２０と、このネジ蓋回動具２０内に収納されてプルトップ６３を引き起すためのプルトップ引起具３０とを、一本の枢軸５０によって互いに回動可能に連結して、不使用時のネジ蓋回動具２０とプルトップ引起具３０とを栓抜き具１０内に収納するようにするとともに、
ネジ蓋回動具２０を、枢軸５０にそれぞれ枢支される左右一対の枢支基部２１と、これらの枢支基部２１に連続して可撓性を有する略円環状の挟持部２２とにより構成するとともに、当該ネジ蓋回動具２０の枢支基部２１と栓抜き具１０の基部１２ａとの各対向面に、当該ネジ蓋回動具２０を栓抜き具１０内から引き起したとき、各枢支基部２１を互いに近接させる突起２４またはその案内面１７を形成したこと」
にその構成上の特徴があり、これにより、王冠を外すものと、ネジ蓋の開閉を行う道具と、プルトップを引き起すための道具をコンパクトにまとめることができて、持ち運び及び使用に便利なものとするとともに、それぞれの道具の機能を十分に発揮することができるようにした組合せ開口具を簡単な構成によって提供することができるとともに、ネジ蓋回動具によるネジ蓋の締め付けを自動的に行うことができて、力の弱い人でも十分使いこなすことのできる組合せ開口具を提供することができるのである。
【００４０】
（削除）
【図面の簡単な説明】
【図１】本発明に係る組合せ開口具を、その各構成部材かを分解することにより示した斜視図である。
【図２】同組合せ開口具を組み立てて手で持ったときの状態を示した斜視図である。
【図３】同組合せ開口具の栓抜き具を示すもので、（イ）は平面図、（ロ）は断面図である。
【図４】同栓抜き具を示すもので、（イ）は底面図、（ロ）は正面図である。
【図５】同組合せ開口具を構成するネジ蓋回動具を示すもので、（イ）は側面図、（ロ）は底面図、（ハ）は部分切欠平面図、（ニ）は（ロ）中の１−１線に沿ってみた断面図である。
【図６】同組合せ開口具を構成するプルトップ引起具を示すもので、（イ）は側面図、（ロ）は平面図、（ハ）は縦断面図である。
【図７】同プルトップ引起具を示すもので、（イ）は正面図、（ロ）は背面図、（ハ）は図６の（イ）における２−２線に沿ってみた断面図、（ニ）は同３−３線に沿ってみた断面図である。
【図８】栓抜き具にプルトップ引起具を支持するための連結部材を示すもので、（イ）は拡大側面図、（ロ）は（イ）中の４−４線に沿ってみた断面図、（ハ）は連結部材の正面図である。
【図９】当該組合せ開口具のネジ蓋回動具を使用している状態を示す斜視図である。
【図１０】当該組合せ開口具のプルトップ引起具を使用している状態を示す斜視図である。
【符号の説明】
１００  組合せ開口具
１０  栓抜き具
１１  基板
１２  周壁
１２ａ  基部
１３  王冠挿入口
１４  栓抜き金具
１５  回動開口
１６  枢支穴
１７  案内面
２０  ネジ蓋回動具
２１  枢支基部
２２  挟持部
２２ａ  第１挟持部
２２ｂ  第２挟持部
２２ｃ  切除部
２３  滑り止め
２４  突起
２５  枢支穴
３０  プルトップ引起具
３１  アーム部
３２  枢支穴
３３  引起爪
３４  押出突起
４０  連結部材
４１  嵌合突起
４２  枢支穴
４３  フリクション突起
４４  スプリング部
５０  枢軸
６１  王冠
６２  ネジ蓋
６３  プルトップ
【図１】
0003806822.tif 000002
【図２】
0003806822.tif 000003
【図３】
0003806822.tif 000004
【図４】
0003806822.tif 000005
【図５】
0003806822.tif 000006
【図６】
0003806822.tif 000007
【図７】
0003806822.tif 000008
【図８】
0003806822.tif 000009
【図９】
0003806822.tif 000010
【図１０】
0003806822.tif 000011